(57)【要約】【課題】タッチパネル等の感度をユーザが設定できるとしても、そのような設定が適切であるとは限らない。タッチパネル等の感度があまりに高感度に設定されていると、タッチパネル等のドライバで消費する電力が増加する。そのため、タッチパネル等の感度設定を適応的に変化させ、消費電力を低減する電子機器が、望まれる。【解決手段】電子機器は、物体が接触又は近接することで、ユーザの操作を検出する操作検出部と、操作検出部が、操作を検出する際に用いる感度設定を記憶し、操作検出部に対して行われた操作を、逐次、操作情報として記憶する記憶部と、操作情報に基づいて、感度設定を適応的に変更する制御部と、を備えている。【選択図】図１
2013069219.tif 000002
【特許請求の範囲】
【請求項１】
物体が接触又は近接することで、ユーザの操作を検出する操作検出部と、
前記操作検出部が、操作を検出する際に用いる感度設定を記憶し、前記操作検出部に対して行われた操作を、逐次、操作情報として記憶する記憶部と、
前記操作情報に基づいて、前記感度設定を適応的に変更する制御部と、
を備えることを特徴とする電子機器。
【請求項２】
前記操作情報には、前記操作検出部に加わる圧力情報、前記操作検出部に物体が接触、又は、近接する時間情報、前記操作検出部上を物体が移動する距離情報、のいずれかの操作決定要素が含まれ、
前記制御部は、前記操作決定要素と、前記操作決定要素に対応する前記感度設定と、を比較することで、前記感度設定を変更する請求項１の電子機器。
【請求項３】
前記制御部は、
複数の前記操作決定要素のうち、前記操作検出部が操作の検出に至った第１の操作決定要素と、前記操作検出部が操作の検出に至らなかった第２の操作決定要素と、の数を比較し、
前記第１の操作決定要素の数が、前記第２の操作決定要素の数より、第１の所定値分より多い場合には、前記第１の操作決定要素が減少する方向に前記感度設定を変更する請求項２の電子機器。
【請求項４】
前記制御部は、前記第２の操作決定要素の数が、前記第１の操作決定要素の数より、第２の所定値分より多い場合には、前記第１の操作決定要素が増加する方向に前記感度設定を変更する請求項３の電子機器。
【請求項５】
前記制御部は、前記感度設定を、予め定められた周期で、又は、前記操作検出部に対して行われた操作が予め定めた回数を超えた場合に、変更する請求項１乃至４のいずれか一に記載の電子機器。
【請求項６】
物体が接触又は近接することで、ユーザの操作を検出する操作検出部と、
前記操作検出部が、操作を検出する際に用いる感度設定を記憶する記憶部と、
を備える電子機器の制御方法であって、
前記操作検出部に対して行われた操作を、逐次、操作情報として前記記憶部に記憶する第１の工程と、
前記操作情報に基づいて、前記感度設定を適応的に変更する第２の工程と、
を含むことを特徴とする電子機器の制御方法。
【請求項７】
前記操作情報には、前記操作検出部に加わる圧力情報、前記操作検出部に物体が接触、又は、近接する時間情報、前記操作検出部上を物体が移動する距離情報、のいずれかの操作決定要素が含まれ、
前記第２の工程は、前記操作決定要素と、前記操作決定要素に対応する前記感度設定と、を比較することで、前記感度設定を変更する工程を含む請求項６の電子機器の制御方法。
【請求項８】
前記第２の工程は、
複数の前記操作決定要素のうち、前記操作検出部が操作の検出に至った第１の操作決定要素と、前記操作検出部が操作の検出に至らなかった第２の操作決定要素と、の数を比較する工程と、
前記第１の操作決定要素の数が、前記第２の操作決定要素の数より、第１の所定値分より多い場合には、前記第１の操作決定要素が減少する方向に前記感度設定を変更する工程と、
を含む請求項７の電子機器の制御方法。
【請求項９】
前記第２の工程は、前記第２の操作決定要素の数が、前記第１の操作決定要素の数より、第２の所定値分より多い場合には、前記第１の操作決定要素が増加する方向に前記感度設定を変更する工程を含む請求項８の電子機器の制御方法。
【請求項１０】
物体が接触又は近接することで、ユーザの操作を検出する操作検出部と、
前記操作検出部が、操作を検出する際に用いる感度設定を記憶する記憶部と、
を備える電子機器を制御するコンピュータに実行させるプログラムであって、
前記操作検出部に対して行われた操作を、逐次、操作情報として前記記憶部に記憶する第１の処理と、
前記操作情報に基づいて、前記感度設定を適応的に変更する第２の処理と、
を実行するプログラム。
【発明の詳細な説明】
【技術分野】
【０００１】
本発明は、電子機器、その制御方法及びプログラムに関する。特に、タッチパネル等の操作検出手段を備える電子機器、その制御方法及びプログラムに関する。
【背景技術】
【０００２】
携帯電話、スマートフォン、タブレットＰＣ（Ｐｅｒｓｏｎａｌ  Ｃｏｍｐｕｔｅｒ）、ゲーム機等の電子機器には、文字等を入力する手段が必要である。このような情報入力手段としては、タッチパネル、タッチパッド等が用いられる。
【０００３】
ここで、電子機器は、タッチパネルを介してユーザの操作を検出するための感度に関する情報を備えている。感度に関する情報には以下のような情報が考えられる。第１に、ユーザがどの程度の圧力でタッチパネルを押した場合に、ユーザの操作を検出するかを定める接触圧に関する情報が考えられる。第２に、ユーザがタッチパネルに触れていた時間に応じて、ユーザの操作を検出するか否かを定める接触時間に関する情報が考えられる。第３に、ユーザが指等の物体を移動させた距離に応じて、ユーザの操作（例えば、フリック操作）を検出するか否かを定める接触距離に関する情報が考えられる。
【０００４】
ここで、特許文献１において、タッチパネルの感度を調整するＵＩ（Ｕｓｅｒ  Ｉｎｔｅｒｆａｃｅ）を設け、ユーザがタッチパネルの感度を選択可能とするタッチスクリーンディスプレイ装置が開示されている。
【先行技術文献】
【特許文献】
【０００５】
【特許文献１】特開２００８−１６５８０１号公報
【発明の概要】
【発明が解決しようとする課題】
【０００６】
なお、上記先行技術文献の各開示を、本書に引用をもって繰り込むものとする。以下の分析は、本発明の観点からなされたものである。
【０００７】
上述のように、タッチパネル等を備える電子機器は、感度に関する情報を備えている。ここで、タッチパネル等を備える電子機器には、感度に関する情報は予め定められた値に固定されており、全てのユーザが同じ設定でタッチパネル等を操作しなければならない電子機器が存在する。
【０００８】
このような電子機器では、ユーザそれぞれが持つ操作時の癖に対応できず、ユーザが操作感に不満を持つ恐れがある。即ち、あるユーザにとって、タッチパネルの感度が低く設定されていると（操作の判定に使用する閾値が高いと）、強い圧力で長い時間、タッチパネルに触れていなければならず、意図通りの操作が容易に行えないとの不満を持つ恐れがある。
【０００９】
一方、特許文献１が開示するように、専用のＵＩを設け、ユーザが操作をするのに最適であると感じる感度を設定可能な電子機器も存在する。しかし、このような電子機器であっても、ユーザが定めた設定が必ずしも適切ではない場合が存在する。即ち、あるユーザの感度に関する設定が、ユーザが快適に操作するための設定値よりも遙かに感度が高く設定されている場合が考えられる。感度が高く設定されていると（操作の判定に使用する閾値が低いと）、タッチパネル等を備えた電子機器は、タッチパネル等の状態変化を頻繁に検出する必要がある。タッチパネル等の状態変化を頻繁に検出するとなれば、タッチパネル等を駆動するドライバは常に活性化状態でなければならず、ドライバで消費する電力が増加する。従って、ユーザが感度を決定したとしても、その設定が必要以上に高感度であれば、電力を浪費していることになる。
【００１０】
以上のように、タッチパネル等を備えた電子機器には、解決すべき問題点が存在する。そのため、タッチパネル等の感度設定を適応的に変化させ、消費電力を低減する電子機器、その制御方法及びプログラムが、望まれる。
【課題を解決するための手段】
【００１１】
本発明の第１の視点によれば、物体が接触又は近接することで、ユーザの操作を検出する操作検出部と、前記操作検出部が、操作を検出する際に用いる感度設定を記憶し、前記操作検出部に対して行われた操作を、逐次、操作情報として記憶する記憶部と、前記操作情報に基づいて、前記感度設定を適応的に変更する制御部と、を備える電子機器が提供される。
【００１２】
本発明の第２の視点によれば、物体が接触又は近接することで、ユーザの操作を検出する操作検出部と、前記操作検出部が、操作を検出する際に用いる感度設定を記憶する記憶部と、を備える電子機器の制御方法であって、前記操作検出部に対して行われた操作を、逐次、操作情報として前記記憶部に記憶する第１の工程と、前記操作情報に基づいて、前記感度設定を適応的に変更する第２の工程と、を含む電子機器の制御方法が提供される。
【００１３】
本発明の第３の視点によれば、物体が接触又は近接することで、ユーザの操作を検出する操作検出部と、前記操作検出部が、操作を検出する際に用いる感度設定を記憶する記憶部と、を備える電子機器を制御するコンピュータに実行させるプログラムであって、前記操作検出部に対して行われた操作を、逐次、操作情報として前記記憶部に記憶する第１の処理と、前記操作情報に基づいて、前記感度設定を適応的に変更する第２の処理と、を実行するプログラムが提供される。
【発明の効果】
【００１４】
本発明の各視点によれば、タッチパネル等の感度設定を適応的に変化させ、消費電力を低減する電子機器、その制御方法及びプログラムが、提供される。
【図面の簡単な説明】
【００１５】
【図１】本発明の一実施形態の概要を説明するための図である。
【図２】本発明の第１の実施形態に係る電子機器１の全体構成の一例を示す平面図である。
【図３】本発明の第１の実施形態に係る電子機器１の構成の一例を示す図である。
【図４】タッチパネルの感度設定に関する設定ＵＩの一例を示す図である。
【図５】電子機器１が操作情報を収集する際の動作の一例を示すフローチャートである。
【図６】操作情報の一例を示す図である。
【図７】電子機器１がタッチパネル２０の感度設定を調整する際の動作の一例を示すフローチャートである。
【図８】現在の感度設定が適切である場合の接触時間の分布の一例を示す図である。
【図９】現在の感度設定は高感度過ぎる場合の接触時間の分布の一例を示す図である。
【図１０】現在の感度設定は低感度過ぎる場合の接触時間の分布の一例を示す図である。
【発明を実施するための形態】
【００１６】
初めに、図１を用いて一実施形態の概要について説明する。なお、この概要に付記した図面参照符号は、理解を助けるための一例として各要素に便宜上付記したものであり、本発明を図示の態様に限定することを意図するものではない。
【００１７】
上述のように、タッチパネル等の感度をユーザが設定できるとしても、そのような設定が適切であるとは限らない。タッチパネル等の感度があまりに高感度に設定されていると、タッチパネル等のドライバで消費する電力が増加する。そのため、タッチパネル等の感度設定を適応的に変化させ、消費電力を低減する電子機器が、望まれる。
【００１８】
そこで、一例として図１に示す電子機器を提供する。図１に示す電子機器は、物体が接触又は近接することで、ユーザの操作を検出する操作検出部と、操作検出部が、操作を検出する際に用いる感度設定を記憶し、操作検出部に対して行われた操作を、逐次、操作情報として記憶する記憶部と、操作情報に基づいて、感度設定を適応的に変更する制御部と、を備えている。
【００１９】
図１に示す電子機器は、ユーザが操作検出部（例えば、タッチパネル等）に対して行った操作を、逐次、操作情報として記憶する。制御部では、記憶した操作情報から、現在の感度設定がユーザの操作に適切なものか判断する。さらに、ユーザ操作の適切性を判断した制御部は、判断結果に基づいて、ユーザ操作と電子機器が消費する電力との関係が最適になるように制御する（感度設定を適応的に変更する）。その結果、タッチパネル等の感度設定を適応的に変化させ、消費電力を低減する電子機器が、提供できる。
【００２０】
以下に具体的な実施の形態について、図面を参照してさらに詳しく説明する。
【００２１】
［第１の実施形態］
本発明の第１の実施形態について、図面を用いてより詳細に説明する。
【００２２】
図２は、本実施形態に係る電子機器１の全体構成の一例を示す平面図である。
【００２３】
電子機器１は、液晶パネル１０と、タッチパネル２０を備えている。
【００２４】
液晶パネル１０には、ユーザが電子機器１を操作する際に必要な情報を表示する。なお、電子機器１が備える表示手段は液晶パネルに限定する趣旨ではない。有機ＥＬ（Ｅｌｅｃｔｒｏ  Ｌｕｍｉｎｅｓｃｅｎｃｅ）パネル等の表示手段であっても良い。
【００２５】
タッチパネル２０は、平板状のセンサによりユーザの操作を検出するデバイスである。タッチパネルの方式には、静電容量方式を初めとして各種存在するが、その方式は問わない。例えば、ユーザの指等の物体が近接したことを検出する近接検出型のタッチパネルを用いることも可能である。
【００２６】
次に、電子機器１の内部構成について説明する。
【００２７】
図３は、本実施形態に係る電子機器１の構成の一例を示す図である。
【００２８】
図３に示す電子機器１は、液晶パネル１０と、タッチパネル２０と、操作部１０１と、表示部１０２と、制御部１０３と、メモリ１０４と、記憶部１０５から構成されている。なお、図３には、簡単のため、本実施形態に係る電子機器１に関係するモジュールのみを記載する。液晶パネル１０、タッチパネル２０は上述のとおりであるので、さらなる説明を省略する。
【００２９】
操作部１０１は、タッチパネル２０と接続されており、タッチパネル２０の設定・駆動を行うドライバとしての役割を担う。操作部１０１は、ユーザがタッチパネル２０に触れた位置を検出し、その座標情報を制御部１０３に出力する。
【００３０】
表示部１０２は、液晶パネル１０と接続されており、液晶パネル１０の設定・駆動を行うドライバとしての役割を担う。表示部１０２では、制御部１０３から送信されてくる画面表示情報から液晶パネル１０を駆動するための信号を生成し、液晶パネル１０に送信する。
【００３１】
制御部１０３は、操作部１０１が検出したユーザ操作に基づいて動作モードの切り替えや、各アプリケーションに対する動作指示、ユーザが電子機器１を操作する際に必要な情報の生成及び表示などを実現する。なお、制御部１０３は、ＣＰＵ（Ｃｅｎｔｒａｌ  Ｐｒｏｃｅｓｓｉｎｇ  Ｕｎｉｔ）上で動作するプログラムによって実現し得る。
【００３２】
メモリ１０４は、制御部１０３の動作の際に必要となる情報を一時的に記憶する。
【００３３】
記憶部１０５は、電子機器１の各機能を実現する際に必要となる各種の設定情報を記憶する。
【００３４】
次に、電子機器１の動作について説明する。
【００３５】
電子機器１は、タッチパネルの感度設定に関する設定ＵＩを備えている。図４は、タッチパネルの感度設定に関する設定ＵＩの一例を示す図である。図４に示すタッチパネルの感度設定の設定ＵＩでは、４つの設定値が選択可能である。４つの設定値はそれぞれ、１：自動制御、２：高感度、３：通常感度、４：低感度である。
【００３６】
ユーザが、高感度、通常感度、低感度のいずれかの設定を選択すると、電子機器１はタッチパネルの感度を自動的に調整しない。高感度、通常感度、低感度の各設定が設定されている場合には、制御部１０３は、それぞれの感度設定に従って、タッチパネル２０を介して行われるユーザの操作を判定する。
【００３７】
一方、ユーザが自動制御を選択した場合には、電子機器１はタッチパネルの感度を自動的に調整する。
【００３８】
以下、電子機器１のタッチパネルの感度設定には、自動制御が選択されているものとして、電子機器１の動作を説明する。
【００３９】
初めに、自動制御が設定されている場合の電子機器１の動作を概説する。
【００４０】
自動制御が設定されている場合には、電子機器１は、ユーザがタッチパネル２０を用いて操作した場合の接触圧、接触時間、接触距離等の感度に関する情報を収集する。この収集した情報に基づいて、電子機器１は、現在の感度設定がユーザの操作に適切なものか判断する。その際に、電子機器１が、現在の感度設定は、ユーザがタッチパネル２０を扱う操作からは高感度過ぎると判断すれば、内部の感度設定を低感度となる方向に調整する。
【００４１】
一方、電子機器１が、現在の感度設定は、ユーザがタッチパネル２０を扱う操作からは低感度過ぎると判断すれば、内部の感度設定を高感度となる方向に調整する。電子機器１は、このような自動調整を予め定めた調整規則に従って行う。なお、調整規則は、一定時間経過後に自動調整すると定めても良いし、一定量の操作が行われた後に自動調整すると定めても良い。
【００４２】
次に、電子機器１が、ユーザがタッチパネル２０を用いて操作した場合の操作情報（接触圧、接触時間、接触距離）を収集する際の動作について説明する。
【００４３】
図５は、電子機器１が操作情報を収集する際の動作の一例を示すフローチャートである。
【００４４】
ステップＳ０１では、制御部１０３は、ユーザがタッチパネル２０の操作を行ったか否かを判断する。制御部１０３が、ユーザがタッチパネル２０の操作を行ったと判断した場合には、ステップＳ０２に遷移する。制御部１０３が、ユーザがタッチパネル２０の操作を行っていないと判断した場合には、ステップＳ０１の処理を継続する。
【００４５】
ステップＳ０２では、操作部１０１が、ユーザがタッチパネル２０を操作した際の操作情報を取得する。さらに、操作部１０１は取得した操作情報を制御部１０３に出力する。
【００４６】
ステップＳ０３では、制御部１０３が、操作部１０１が出力する操作情報を取得する。さらに、制御部１０３は、取得した操作情報を記憶部１０５に記憶する。記憶部１０５が記憶する操作情報を蓄積操作情報とする。なお、ユーザがタッチパネル２０を連続して操作した場合にも、操作情報を取得し、記憶することが望ましいので、制御部１０３は、メモリ１０４に一時的に操作情報を記憶しても良い。この場合には、ユーザの連続操作が終了した時点で、操作情報を記憶部１０５に記憶する。
【００４７】
図６は、操作情報の一例を示す図である。図６に示す数字は相対的なものであり、その単位は使用するタッチパネル２０の方式により異なる。
【００４８】
次に、電子機器１がタッチパネル２０の感度設定を調整する際の動作について説明する。
【００４９】
図７は、電子機器１がタッチパネル２０の感度設定を調整する際の動作の一例を示すフローチャートである。
【００５０】
ステップＳ１１では、制御部１０３が、ユーザの設定した感度設定を確認する。
【００５１】
ステップＳ１２では、制御部１０３が、ステップＳ１１で確認した感度設定が自動設定か否かを判断する。制御部１０３が、感度設定は自動設定であると判断した場合には、ステップＳ１２に遷移する。制御部１０３が、感度設定は自動設定ではないと判断した場合には、処理を終了する。
【００５２】
ステップＳ１３では、制御部１０３が、記憶部１０５が記憶している蓄積操作情報を読み出す。
【００５３】
ステップＳ１４では、制御部１０３が、現在の感度設定は高感度過ぎるか否かを判断する。制御部１０３が、現在の感度設定は高感度過ぎると判断した場合には、ステップＳ１５に遷移する。制御部１０３が、現在の感度設定は高感度過ぎではないと判断した場合には、ステップＳ１６に遷移する。なお、制御部１０３における感度設定の適切性の判断については後述する。
【００５４】
ステップＳ１５では、制御部１０３が、感度設定を低くする。ここで、タッチパネルの感度設定において、自動制御が選択されている場合の初期値は通常感度とする。従って、現在の感度設定が初期値のままであれば、感度設定を低感度とする。現在の感度設定が高感度であれば、通常感度に設定する。
【００５５】
なお、上記感度設定の選択は一例であって、これに限定する趣旨ではない。タッチパネルの感度設定とは無関係に感度設定をより細かく規定することも可能である（例えば、多段階の感度設定を電子機器１の内部で規定し、徐々に感度を変更することも考えられる）。
【００５６】
ステップＳ１６では、制御部１０３が、現在の感度設定は低感度過ぎるか否かを判断する。制御部１０３が、現在の感度設定は低感度過ぎると判断した場合には、ステップＳ１７に遷移する。制御部１０３が、現在の感度設定は低感度過ぎではないと判断した場合には、処理を終了する。
【００５７】
ステップＳ１７では、制御部１０３が、感度設定を高くする。
【００５８】
ステップＳ１８では、制御部１０３が、ステップＳ１５及びＳ１７で再設定された感度設定を記憶部１０５に記憶する。なお、変更後の感度設定をユーザに通知する必要は必ずしもない。
【００５９】
ステップＳ１９では、制御部１０３が、ステップＳ１３で読み出した蓄積操作情報（旧操作情報）を初期化する（記憶部１０５から削除する）。蓄積操作情報を初期化する理由は、タッチパネルの感度を再設定しているため、再設定した感度で、ユーザがタッチパネル２０を操作する際の情報を収集する必要があるためである。なお、何かしらの理由により旧操作情報を削除できない場合には、旧操作情報にフラグを付し、記憶部１０５に留めておく。制御部１０３では、フラグが付されている蓄積操作情報を感度設定の適切性の判断には用いない。
【００６０】
続いて、制御部１０３における感度設定の適切性の判断について説明する。
【００６１】
図８〜図１０は、接触時間の分布の一例を示す図である。図８〜図１０では、蓄積操作情報のうち、接触時間に関する分布とユーザの操作を判定する閾値とを重ね合わせた図である。
【００６２】
図８は、現在の感度設定が適切である場合の接触時間の分布の一例を示す図である。図９は、現在の感度設定は高感度過ぎる場合の接触時間の分布の一例を示す図である。図１０は、現在の感度設定は低感度過ぎる場合の接触時間の分布の一例を示す図である。
【００６３】
図８では、略全ての接触時間が閾値以上であって、かつ、閾値近辺に集中している。従って、この場合には、タッチパネル２０に対するユーザの操作は、ほぼ有効であると判定されており、かつ、閾値からも乖離していないので、操作部１０１が活性化している時間（動作している時間）は適切であると判断できる。
【００６４】
図９では、殆どの接触時間は閾値以上である。従って、図９に示すユーザの操作は有効なものとして、制御部１０３は判断することが多い。しかし、有効な操作として判定された接触時間の個数と、有効な操作として判定されない接触時間の個数との差が非常に大きい。つまり、この差が一定数以上の場合には、制御部１０３は、タッチパネルの感度設定は適切とは言えず、感度設定が高すぎると判断する。感度設定が高いため、操作部１０１が活性化している時間が非常に長くなる。操作部１０１が活性化している時間が長いため、電子機器１の消費電力は増加する。
【００６５】
図１０では、閾値を超えている接触時間の個数は少ない。従って、図１０に示すユーザの操作は、殆ど有効なものとして制御部１０１で判断されない。この場合には、ユーザは電子機器１の操作感について不満を持つことになる。従って、有効な操作として判定されない接触時間の個数が、有効な操作として判定された接触時間の個数よりも多く、制御部１０３は、タッチパネルの感度設定が低すぎると判断する。
【００６６】
以上のように、本実施形態に係る電子機器１は、ユーザがタッチパネル２０に対して行った操作の蓄積及び解析を行っている。解析を行った結果、ユーザの操作に最も適した感度設定を選択する。その結果、タッチパネル２０のドライバとなる操作部１０１が活性化している時間とユーザの操作感を両立させることができる。即ち、タッチパネル２０の感度設定を適応的に変化させ、消費電力の低減を可能とする。
【００６７】
上記の実施形態の一部又は全部は、以下の付記のようにも記載され得るが、以下には限られない。
【００６８】
（付記１）物体が接触又は近接することで、ユーザの操作を検出する操作検出部と、前記操作検出部が、操作を検出する際に用いる感度設定を記憶し、前記操作検出部に対して行われた操作を、逐次、操作情報として記憶する記憶部と、前記操作情報に基づいて、前記感度設定を適応的に変更する制御部と、を備える電子機器。
【００６９】
（付記２）前記操作情報には、前記操作検出部に加わる圧力情報、前記操作検出部に物体が接触、又は、近接する時間情報、前記操作検出部上を物体が移動する距離情報、のいずれかの操作決定要素が含まれ、前記制御部は、前記操作決定要素と、前記操作決定要素に対応する前記感度設定と、を比較することで、前記感度設定を変更する電子機器。
【００７０】
（付記３）前記制御部は、複数の前記操作決定要素のうち、前記操作検出部が操作の検出に至った第１の操作決定要素と、前記操作検出部が操作の検出に至らなかった第２の操作決定要素と、の数を比較し、前記第１の操作決定要素の数が、前記第２の操作決定要素の数より、第１の所定値分より多い場合には、前記第１の操作決定要素が減少する方向に前記感度設定を変更する電子機器。
【００７１】
（付記４）前記制御部は、前記第２の操作決定要素の数が、前記第１の操作決定要素の数より、第２の所定値分より多い場合には、前記第１の操作決定要素が増加する方向に前記感度設定を変更する電子機器。
【００７２】
（付記５）前記制御部は、前記感度設定を、予め定められた周期で、又は、前記操作検出部に対して行われた操作が予め定めた回数を超えた場合に、変更する電子機器。
【００７３】
（付記６）物体が接触又は近接することで、ユーザの操作を検出する操作検出部と、前記操作検出部が、操作を検出する際に用いる感度設定を記憶する記憶部と、を備える電子機器の制御方法であって、前記操作検出部に対して行われた操作を、逐次、操作情報として前記記憶部に記憶する第１の工程と、前記操作情報に基づいて、前記感度設定を適応的に変更する第２の工程と、を含む電子機器の制御方法。
【００７４】
（付記７）前記操作情報には、前記操作検出部に加わる圧力情報、前記操作検出部に物体が接触、又は、近接する時間情報、前記操作検出部上を物体が移動する距離情報、のいずれかの操作決定要素が含まれ、前記第２の工程は、前記操作決定要素と、前記操作決定要素に対応する前記感度設定と、を比較することで、前記感度設定を変更する工程を含む電子機器の制御方法。
【００７５】
（付記８）前記第２の工程は、複数の前記操作決定要素のうち、前記操作検出部が操作の検出に至った第１の操作決定要素と、前記操作検出部が操作の検出に至らなかった第２の操作決定要素と、の数を比較する工程と、前記第１の操作決定要素の数が、前記第２の操作決定要素の数より、第１の所定値分より多い場合には、前記第１の操作決定要素が減少する方向に前記感度設定を変更する工程と、を含む電子機器の制御方法。
【００７６】
（付記９）前記第２の工程は、前記第２の操作決定要素の数が、前記第１の操作決定要素の数より、第２の所定値分より多い場合には、前記第１の操作決定要素が増加する方向に前記感度設定を変更する工程を含む電子機器の制御方法。
【００７７】
（付記１０）物体が接触又は近接することで、ユーザの操作を検出する操作検出部と、前記操作検出部が、操作を検出する際に用いる感度設定を記憶する記憶部と、を備える電子機器を制御するコンピュータに実行させるプログラムであって、前記操作検出部に対して行われた操作を、逐次、操作情報として前記記憶部に記憶する第１の処理と、前記操作情報に基づいて、前記感度設定を適応的に変更する第２の処理と、を実行するプログラム。
【００７８】
（付記１１）前記操作情報には、前記操作検出部に加わる圧力情報、前記操作検出部に物体が接触、又は、近接する時間情報、前記操作検出部上を物体が移動する距離情報、のいずれかの操作決定要素が含まれ、前記第２の処理は、前記操作決定要素と、前記操作決定要素に対応する前記感度設定と、を比較することで、前記感度設定を変更する処理を実行するプログラム。
【００７９】
（付記１２）前記第２の処理は、複数の前記操作決定要素のうち、前記操作検出部が操作の検出に至った第１の操作決定要素と、前記操作検出部が操作の検出に至らなかった第２の操作決定要素と、の数を比較する処理と、前記第１の操作決定要素の数が、前記第２の操作決定要素の数より、第１の所定値分より多い場合には、前記第１の操作決定要素が減少する方向に前記感度設定を変更する処理と、を実行するプログラム。
【００８０】
（付記１３）前記第２の処理は、前記第２の操作決定要素の数が、前記第１の操作決定要素の数より、第２の所定値分より多い場合には、前記第１の操作決定要素が増加する方向に前記感度設定を変更する処理を実行するプログラム。
【００８１】
なお、引用した上記の特許文献等の各開示は、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００８２】
１  電子機器
１０  液晶パネル
２０  タッチパネル
１０１  操作部
１０２  表示部
１０３  制御部
１０４  メモリ
１０５  記憶部
【図１】
2013069219.tif 000003
【図２】
2013069219.tif 000004
【図３】
2013069219.tif 000005
【図４】
2013069219.tif 000006
【図５】
2013069219.tif 000007
【図６】
2013069219.tif 000008
【図７】
2013069219.tif 000009
【図８】
2013069219.tif 000010
【図９】
2013069219.tif 000011
【図１０】
2013069219.tif 000012